(57)【特許請求の範囲】
【請求項１】
本体と、押圧体と、付勢手段とを備え、前記押圧体が前記本体内で扇状に可動な状態となりうるコードロックであって、
前記本体内部には表面が開放した収容空間が設けられるとともに、前記本体の前側には貫通した貫通穴が設けられ、そして前記本体の底部の左右両側にはストラップの巻回に供される巻き付け部が外側に向けて延設されており、
前記押圧体は前記本体の収容空間内に移動可能に枢設されるとともに、前記押圧体内には長手方向に貫通した貫通穴が設けられており、
前記付勢手段は前記本体の収容空間と前記押圧体との間に前記押圧体を上方に付勢するように立設され、前記押圧体が下方変位して前記付勢手段を下方に向けて弾性変形させることにより前記本体の貫通穴と前記押圧体の貫通穴とが一致することでコードを通すか、または前記付勢手段の弾性復帰により前記押圧体が上方変位してコードを挟持する状態となる、ことを特徴とするコードロック。
【請求項２】
前記本体の貫通穴の下方には位置決め溝が連通しており、前記押圧体の貫通穴の下方にはストッパ部が外側に向けて延設されるとともに、前記ストッパ部が前記位置決め溝内に位置決めされる、ことを特徴とする請求項１に記載のコードロック。
【請求項３】
前記押圧体の表面には複数の円弧面を有する押圧部が設けられている、ことを特徴とする請求項１に記載のコードロック。
【請求項４】
前記付勢手段は、平坦な基部の左右両側に支持アームが同じ方向に延びるとともに、二つの支持アームの末端がそれぞれ折り返して弾性アームとして延びており、かつ支持アームが弾性アームに対して鋭角に折り曲げ形成されている、ことを特徴とする請求項１に記載のコードロック。
【請求項５】
前記本体の左右両側面には、前記収容空間に連通した対応する枢支穴がそれぞれ設けられており、前記押圧体の左右両側には枢支部が外側に向けて延設されている、ことを特徴とする請求項１に記載のコードロック。
【請求項６】
前記押圧体は、前記付勢手段の配設に供される二つの対応する収容溝が底面に刻設されている、ことを特徴とする請求項１に記載のコードロック。
【請求項７】
本体と、押圧体と、付勢手段とを備え、前記押圧体が前記本体内で扇状に可動な状態となりうるコードロックであって、
前記本体内部には表面が開放した収容空間が設けられるとともに、前記本体の前側には貫通した貫通穴が設けられており、
前記押圧体は前記本体の収容空間内に移動可能に枢設されるとともに、前記押圧体内には長手方向に貫通した貫通穴が設けられており、
前記付勢手段は、前記本体の収容空間と前記押圧体との間に前記押圧体を上方に付勢するように立設され、平坦な基部の左右両側に支持アームが同じ方向に延びるとともに、二つの支持アームの末端がそれぞれ折り返して弾性アームとして延びており、かつ支持アームが弾性アームに対して鋭角に折り曲げ形成されており、前記押圧体が下方変位して前記付勢手段を下方に向けて弾性変形させることにより前記本体の貫通穴と前記押圧体の貫通穴とが一致することでコードを通すか、または前記付勢手段の弾性復帰により前記押圧体が上方変位してコードを挟持する状態となる、ことを特徴とするコードロック。
【請求項８】
前記本体の貫通穴の下方には位置決め溝が連通しており、前記押圧体の貫通穴の下方にはストッパ部が外側に向けて延設されるとともに、前記ストッパ部が前記位置決め溝内に位置決めされる、ことを特徴とする請求項７に記載のコードロック。
【請求項９】
前記押圧体の表面には複数の円弧面を有する押圧部が設けられている、ことを特徴とする請求項７に記載のコードロック。
【請求項１０】
前記本体の底部の左右両側には、ストラップの巻回に供される巻き付け部が外側に向けて延設されている、ことを特徴とする請求項７に記載のコードロック。
【請求項１１】
前記本体の左右両側面には、前記収容空間に連通した対応する枢支穴がそれぞれ設けられており、前記押圧体の左右両側には枢支部が外側に向けて延設されている、ことを特徴とする請求項７に記載のコードロック。
【請求項１２】
前記押圧体は、前記二つの弾性アームの配設に供される二つの対応する収容溝が底面に刻設されている、ことを特徴とする請求項７に記載のコードロック。
【発明の詳細な説明】
【技術分野】
【０００１】
本発明はコードロックに関し、とりわけ押圧体が本体に設けられて扇状に移動可能に変位したとき、押圧体の貫通穴と本体の貫通穴とが一致または偏位することで、コードを通しやすくするとともに、咬合または解除する挟持状態を実現するものである。
【背景技術】
【０００２】
現在、コード、ストラップまたはその他物品を接合するためのロックの形式においては、多くは弾性挟持、押圧固定、偏位固定および貫通での位置決めなどの技術がこれにあたり、その目的は、コードを通して調整するか、または末端の固定として使用するものである。そのうえ、バッグまたは衣料品に応用することができ、そしてコードを通す場合には大部分は下記するような形態のロックが用いられている。
【０００３】
図８を参照されたい。これは従来のコードロックの分解斜視図である。図中から明確なように、当該押しボタンＡは段付き状に設計されており、その中央柱状体部には貫通穴Ａ１が設けられ、貫通穴Ａ１の下端には、上方が平坦で下方が円弧状面となる突起Ａ１１が水平に延設されている。押しボタンＡの底側端部に突設されている固定突起Ａ２がスプリングＣの上縁に圧入されるとともに、スプリングＣの下端部の穴の直径がロック本体Ｂの位置決め突起Ｂ３に対応すると、押しボタンＡの突起Ａ１１がロック本体Ｂ内側の上端部に突出した二つのガイド斜面Ｂ２に沿って押入される。そして、貫通穴Ａ１とロック本体Ｂにおける二つの対応する壁面の貫通穴Ｂ１とを一致させ、更に一般的なコードの両端部を通した後、スプリングＣが圧縮された後の復帰弾性力により押しボタンＡがコードを貫通穴Ａ１と貫通穴Ｂ１の位置で固定する。
【発明の概要】
【発明が解決しようとする課題】
【０００４】
よって上記から理解できるように、従来のコードロックではコードを脱落しないように挟持固定できるものの、以下のような不具合が派生的に生じる。
【０００５】
（一）従来のコードロックでは、押しボタンとロック本体とに垂直方向の力が生じる方式で力を付与して押圧または解除する。この場合、押しボタンがロック本体に進入する過程およびスプリングの反作用力に抗する必要があるため、使用者が操作する際の力の増加を招く。
【０００６】
（二）従来のコードロックでは、押しボタンとロック本体とに垂直方向の力が生じる方式で力を付与して押圧または解除する。押圧するとき、コイル状スプリングが圧縮されて重なり一定の高さが生じるので、コードロックが全体的に大きくなってしまう。
【０００７】
（三）従来のコードロックでは、押しボタンとロック本体とに垂直方向の力が生じる方式で力を付与して押圧または解除する。押圧するとき、コイル状スプリングが圧縮されて重なり一定の高さが生じて、ときには捻れが発生してしまうので、押しボタンおよびロック本体の貫通穴を位置合わせする際の難度が高くなってしまう。
【０００８】
したがって、上記した従来技術の課題および欠点を如何に解決するかということは、当業者が改善すべく研究を進める方向である。
【課題を解決するための手段】
【０００９】
よって、発明者は上記した課題および欠点に鑑みて、関連する資料を集め、多方面にわたる分析および考察を経るとともに、当業者として蓄積してきた長年の経験を生かし、絶えず試作および改修を行って、ようやく本願のコードロックの特許を発明した。
【００１０】
本発明の主な目的は、押圧体が本体収容空間内にて相対的に変位することにより、押圧体の貫通穴と本体の貫通穴との位置を一致させることで、コードを通しやすくし、そして付勢手段が持つ弾性復帰力により、押圧体が扇状に変位するように本体内で規制することで、コードへの咬合または解除の状態を実現するところにある。
【発明の効果】
【００１１】
本発明では、押圧体２が本体１に設けられて扇状に変位したとき、本体１の貫通穴１３と押圧体２の貫通穴２３とが一致または偏位するものをその主な特徴とし、そして本発明のコードロックが従来技術を改善できる重要な点は以下にある。
【００１２】
（一）本発明における付勢手段３は二つの弾性アーム３３を扇状で押し込む方式で押圧体２と本体１とを相対的に変位するものであり、この二つの弾性アーム３３の構造設計により信頼性が高く、安定した支持構造を備えることになり、過度な正方向の力で押圧されたとき、二つの弾性アーム３３により押圧の力を分散させて、付勢手段３が過度に押圧されて変形するという事態を回避することができる。
【００１３】
（二）付勢手段３の弾性アーム３３は小さな角度の扇状で変位するので、使用者が操作する押圧力を軽減し、押圧過程の効果を向上し且つ安定性をもたらすとともに、これにより小型化を図り、使用者が操作しやすくなる。
【図面の簡単な説明】
【００１４】
【図１】本発明のコードロックの全体斜視図である。
【図２】本発明のコードロックの分解斜視図である。
【図３】本発明のコードロックの他の角度からの分解斜視図である。
【図４】本発明のコードロックの押圧前の縦断面図である。
【図５】本発明のコードロックの押圧後の縦断面図である。
【図６】本発明のコードロックの使用状態図（一）である。
【図７】本発明のコードロックの使用状態図（二）である。
【図８】従来のコードロックの分解斜視図である。
【発明を実施するための形態】
【００１５】
上記目的および効果を達成するために、本発明で採用する技術的手段およびその構造が完全に理解できるように、図面、そして本発明の好ましい実施例によりその特徴および効果を下記のとおり詳細に説明する。
【００１６】
本発明のコードロックの全体斜視図、分解斜視図および他の角度からの分解斜視図である図１、図２、図３を同時に参照されたい。
図中から明確なように、本発明のコードロックは本体１と、押圧体２ と、付勢手段３が組合わされてなる。
【００１７】
このうち、前記本体１内部には表面が開放した収容空間１１が設けられ、かつ本体１の左右両側面には、収容空間１１に連通した対応する枢支穴１２がそれぞれ設けられている。そして、本体１における枢支穴１２から離れた前側には貫通穴１３が設けられるとともに、貫通穴１３の下方には位置決め溝１３１が連通している。また、本体１の底部の左右両側には、巻き付け部１４が外側に向けて延設されている。
【００１８】
前記押圧体２は底面に二つの対応する収容溝２１が刻設されるとともに、押圧体２の左右両側には枢支部２２が外側に向けて延設されている。しかも、押圧体２内には長手方向に貫通した貫通穴２３が設けられ、かつ貫通穴２３の下方にはストッパ部２３１が外側に向けて延設され、また押圧体２の表面には複数の円弧面２４１を有する押圧部２４が設けられている。
【００１９】
前記付勢手段３は、本体１の収容空間１１と押圧体２の収容溝２１との間に立設される。付勢手段３は、平坦な基部３１の左右両側に支持アーム３２が同じ方向に延びるとともに、二つの支持アーム３２の末端がそれぞれ折り返して弾性アーム３３として延びており、かつ支持アーム３２が弾性アーム３３に対して鋭角に折り曲げ形成されている。
【００２０】
そして、本発明のコードロックを組付ける際には、まず付勢手段３の弾性アーム３３を押圧体２の収容溝２１内に嵌入させるとともに、同時に本体１の収容空間１１内に配設する。さらに、押圧体２の枢支部２２を本体１の対応する枢支穴１２に回動可能に枢設して、押圧体２を本体１の収容空間１１内で扇状に往復変位させることにより、押圧体２および本体１が押圧されていないときの結合状態が完了する。
【００２１】
本発明のコードロックの分解斜視図、押圧前の縦断面図および押圧後の縦断面図である図２、図４、図５を同時に参照されたい。
図中から明確なように、前記押圧体２の後側の枢支部２２は、本体１の対応する枢支穴１２に枢設された状態となるとともに、付勢手段３の基部３１および支持アーム３２を本体１の収容空間１１内に位置決めして、そして付勢手段３の二つの弾性アーム３３が押圧体２の収容溝２１の前方に当接することで、押圧体２を扇状に移動可能に変位させることができる。押圧される前には、押圧体２は付勢手段３の二つの弾性アーム３３の弾性により付勢されて上方に持上げられた状態となっており、このとき、押圧体２の前側のストッパ部２３１が本体１の貫通穴１３の上部に当接することで（図４のとおり）、押圧体２が本体１から外れるのを防止している。押圧されたときには、押圧体２が下方に変位し、付勢手段３の二つの弾性アーム３３を下方に向けて弾性変形させて、押圧体２の前側のストッパ部２３１が本体１の位置決め溝１３１内に収容されるので、本体１の貫通穴１３と押圧体２の貫通穴２３とが一致して貫通した状態となる（図５のとおり）。
【００２２】
したがって、本発明は使用時において、まず本体１および押圧体２の外側を手で掴み、次に押圧体２の押圧部２４および本体１に同時に力を加えて内側に押し込む状態とする。そして、付勢手段３の二つの弾性アーム３３が押圧体２により下方に押圧されて弾性変形すると、押圧体２の貫通穴２３と本体１の貫通穴１３とが貫通した位置合わせ状態となる。このとき、コード４が順に本体１の貫通穴１３、そして押圧体２の貫通穴２３に通された後、さらに押圧部２４への力の付与を解除すると、付勢手段３が弾性復帰して、二つの弾性アーム３３が押圧体２を扇状に変位するように元の位置に押し戻し、押圧体２の貫通穴２３と本体１の貫通穴１３とが偏位して、コード４を密着挟持する（図６のとおり）。貫通穴１３、２３の一致または偏位構造により、コードロックにコード４を挟持または解除する効果を持たせている。
【００２３】
本発明のコードロックの使用状態図（一）および使用状態図（二）である図６、図７を参照されたい。
図中から明確なように、本発明のコードロックはコード４を挟持できる以外に、ストラップ５を通すのに供される本体１の両側の巻き付け部１４により、衣料品またはバッグ類に用いることができる。そして、押圧部２４上の面積の大部分である複数の円弧面２４１により使用者が押圧しやすくなり、しかも押圧時の触感もこれに伴って高めることができる。
【００２４】
上記した詳細な説明は本発明の実施可能な好ましい実施例に対する説明に過ぎず、この実施例は本発明の特許請求の範囲を限定するためのものではなく、本発明に開示する技術的思想から離れずに完成されたその他の均等な変化および付加的な変更は、いずれも本発明が保護する範囲内に含まれるものである。
【００２５】
上記をまとめるに、本発明のコードロックは使用において著しい効果の増進を備え、新規性、発明性および進歩性という特許の要件を満たすので、ここに法に基づき特許を出願する。審査官殿には、発明者の苦労が報われるよう本願が一日も早く特許登録され、そして何らかの疑問があった場合には、発明者は極力協力を惜しまないので、書面にて指示を頂きますよう切望する次第である。
【符号の説明】
【００２６】
１  本体
１１  収容空間
１２  枢支穴
１３  貫通穴
１３１  位置決め溝
１４  巻き付け部
２  押圧体
２１  収容溝
２２  枢支部
２３  貫通穴
２３１  ストッパ部
２４  押圧部
２４１  複数の円弧面
３  付勢手段
３１  基部
３２  支持アーム
３３  弾性アーム
４  コード
５  ストラップ
Ａ  押しボタン
Ａ１  貫通穴
Ａ１１  突起
Ａ２  固定体
Ｂ  ロック本体
Ｂ１  貫通穴
Ｂ２  ガイド斜面
Ｂ３  位置決め体
Ｃ  スプリング
【図１】
0005336222.tif 000002
【図２】
0005336222.tif 000003
【図３】
0005336222.tif 000004
【図４】
0005336222.tif 000005
【図５】
0005336222.tif 000006
【図６】
0005336222.tif 000007
【図７】
0005336222.tif 000008
【図８】
0005336222.tif 000009